(57)【要約】【課題】製造が容易であり、配管に巻着した後に当該テープ長手方向と直交方向に爪をたてて簡単に引き千切ることができるテープを廉価に提供すること。【解決手段】下面をコロナ放電処理した膜厚２０〜１５０μｍの上面ポリエチレンシート１１と、膜厚５〜５０μｍの中間ポリエチレンシート１３と、下面をコロナ放電処理した膜厚５〜５０μｍの下面ポリエチレンシート１５とを積層して一体にラミネート処理されており、前記上面ポリエチレンシートと前記下面ポリエチレンシートが２層にドライラミネートされているものを含む。また、上面ポリエチレンシート１１の下面にウラ印刷１２が施されており、下面ポリエチレンシート１５の下面には粘着剤層が形成されており、上面ポリエチレンシート１１と下面ポリエチレンシート１５の膜厚比は１以上になっている。【選択図】図２
2004202829.tif 000002
【特許請求の範囲】
【請求項１】
膜厚２０〜１５０μｍの上面ポリエチレンシートと、膜厚５〜５０μｍの中間ポリエチレンシートと、下面をコロナ放電処理した膜厚５〜５０μｍの下面ポリエチレンシートとを積層して、一体にラミネート処理されていることを特徴とするポリエチレンテープ。
【請求項２】
下面をコロナ放電処理した膜厚２０〜１５０μｍの上面ポリエチレンシートと、下面をコロナ放電処理した膜厚５〜５０μｍの下面ポリエチレンシートとを積層して一体にドライラミネート処理されていることを特徴とするポリエチレンテープ。
【請求項３】
前記下面ポリエチレンシートのコロナ放電処理面に粘着剤が備えてあることを特徴とする請求項１又は２に記載のポリエチレンテープ。
【請求項４】
前記上面ポリエチレンシートと、前記下面ポリエチレンシートの膜厚比が１以上であることを特徴とする請求項１〜３のいずれかに記載のポリエチレンテープ。
【請求項５】
前記上面ポリエチレンシートにウラ印刷が施されていることを特徴とする請求項１〜４のいずれかに記載のポリエチレンテープ。
【発明の詳細な説明】
【０００１】
【発明の属する技術分野】
本発明はポリエチレンテープに関し、特には、上水や下水管あるいはガス管などの埋設工事に際してこれらに巻着されるポリエチレンテープに関するものである。
【０００２】
【従来の技術】
従来、上水管や下水管あるいはガス管などを土中に埋設したり共同配管に配設する場合、一般には、当該配管に対して配管種類や施工業者等を印刷した塩化ビニールテープを巻着することで、配管種類や施工業者、施工時期などを明らかにしていた。
【０００３】
【発明が解決しようとする課題】
しかし、塩化ビニールテープは耐腐食性や経済性などの観点において優れているものの、例えば配管に巻着した後に、テープの長手方向、並びに、長手方向と直交方向のいずれの方向にも引き千切ることが困難であるため、ハサミやカッターなどの切断具を使用して切断する必要があり、その取扱い勝手に問題があった。
【０００４】
また、塩化ビニールテープは多岐の分野で幅広く使用されているものの、自然環境下ではほとんど分解されないため、自然界に蓄積され、埋め立て地不足、土壌・河川・海洋汚染など、環境上、生態系上の社会的な大問題となっている。一方では、焼却時の焼却炉の損傷、ダイオキシンなどの有毒ガス発生等の問題があって、回収、再生は極めて困難である。
【０００５】
本発明はかかる技術課題を解決するためになされたものであり、その目的とするところは、製造が容易であり、配管に巻着した後に当該テープ長手方向と直交方向に爪をたてて簡単に引き千切ることができるテープを廉価に提供するにある。
【０００６】
【課題を解決するための手段】
上記課題を解決するために本発明が採用した手段は、請求項１の発明は、膜厚２０〜１５０μｍの上面ポリエチレンシートと、膜厚５〜５０μｍの中間ポリエチレンシートと、下面をコロナ放電処理した膜厚５〜５０μｍの下面ポリエチレンシートとを積層して一体にラミネート処理されているところに特徴を有するポリエチレンテープを、その要旨とする。
【０００７】
請求項２の発明は、下面をコロナ放電処理した膜厚２０〜１５０μｍの上面ポリエチレンシートと、下面をコロナ放電処理した膜厚５〜５０μｍの下面ポリエチレンシートとを積層して一体にドライラミネート処理されているところに特徴を有するポリエチレンテープを、その要旨とする。
【０００８】
請求項３の発明は、請求項１又は２に記載のポリエチレンテープにおいて、前記下面ポリエチレンシートのコロナ放電処理面に粘着剤が備えてあるものを、その要旨とする。
【０００９】
請求項４の発明は、請求項１〜３のいずれかに記載のポリエチレンテープにおいて、前記上面ポリエチレンシートと下面ポリエチレンシートの膜厚比が１以上であるものを、その要旨とする。
【００１０】
請求項５の発明は、請求項１〜４のいずれかに記載のポリエチレンテープにおいて、前記上面ポリエチレンシートにウラ印刷が施されているものを、その要旨とする。
【００１１】
各請求項の発明に係るポリエチレンテープによると、該テープの端部に爪をたて、テープ長手方向と直交方向に引っ張ると、従来の塩化ビニールテープとは異なり、テープ長手方向と直交方向に容易に切断することができ、取扱い勝手が数段向上する。
【００１２】
特に、請求項３の発明に係るポリエチレンテープによると、前記下面ポリエチレンシートのコロナ放電処理面に粘着剤が備えてあるため、上記各作用に加えて、プラスチックや金属などで構成され被貼着物にも簡単に貼着できる。
【００１３】
請求項４の発明に係るポリエチレンテープによると、上面ポリエチレンシートと下面ポリエチレンシートの膜厚比が１以上となるように構成されているから、上記各作用に加えて、当該ポリエチレンテープのカール防止ができる。
【００１４】
請求項５の発明に係るポリエチレンテープによると、上面ポリエチレンシートにウラ印刷が施されているから、上記各作用に加えて、例えば配管種類や施工業者、施工時期などの印刷情報を半永久的に保護できる。
【００１５】
【発明の実施の形態】
本発明の実施の形態を実施例に基いてさらに詳細に説明するが、これはその代表的なものを示したものであり、その要旨を越えない限り、以下の実施例により本発明が限定されるものではない。
【００１６】
図１は本発明の第１実施例となるポリエチレンテープ１０を模式的に示す斜視図であり、図２は図１のＡ−Ａ線に沿った断面図である。
【００１７】
図において、ポリエチレンテープ１０は、膜厚２０〜１５０μｍの上面ポリエチレンシート１１と、膜厚５〜５０μｍの中間ポリエチレンシート１３と、下面をコロナ放電処理した膜厚５〜５０μｍの下面ポリエチレンシート１５とを積層し、ラミネート処理加工により長い帯状に一体形成され、下面ポリエチレンシート１５のコロナ放電処理面全面１６に粘着剤（接着剤）１７を備え、紙管１９にぐるぐる巻きに巻き付けてあるものである。
【００１８】
つぎに、本発明の第２実施例のポリエチレンテープ（図示しない）は、下面をコロナ放電処理した膜厚２０〜１５０μｍの上面ポリエチレンシート１１と、下面をコロナ放電処理した膜厚５〜５０μｍの下面ポリエチレンシート１５とを積層し、ドライラミネート処理加工により長い帯状に一体形成され、下面ポリエチレンシート１５のコロナ放電処理面全面１６に粘着剤（接着剤）１７を備え、紙管１９にぐるぐる巻きに巻き付けてあるものである。
【００１９】
第１実施例と２実施例のポリエチレンテープには、上面ポリエチレンシート１１の下面に、例えばガス管であることや施工業者がＸ社であることなどがウラ印刷１２されている。
【００２０】
原材となるポリエチレン樹脂は、低密度ポリエチレン（ＬＤＰＥ）、超低密度ポリエチレン（Ｌ−ＬＤＰＥ）、高密度ポリエチレン（ＨＤＰＥ）など、各グレードのものを使用できるが、低密度ポリエチレン（ＬＤＰＥ）であることが好ましい。
【００２１】
上記実施例のポリエチレンテープにあっては、上面ポリエチレンシートと下面ポリエチレンシートの膜厚比が１以上となるように選択されることが好ましい。膜厚比が１以上であると、テープのカールを防止ができるからである。
【００２２】
なお、下面ポリエチレンシート１５のコロナ放電処理面全面１６に粘着剤（接着剤）１７を備えていないものは、下面がコロナ放電処理されているため、長手方向と直交方向に折り曲げ又は屈曲させて所定幅の帯状となし、両側端縁部を重ね合わせ簡単に合掌熱溶着させることで、長手方向と直交方向に開封可能な袋体を製造する原反として使用できる。すなわち、例えば調剤薬剤や菓子類及びこれらに類するものを連続機械分袋する際の分包紙など、上記以外にも多方面的な使用ができる。
【００２３】
【発明の効果】
以上、本発明の係るテープは、製造が容易で廉価に提供でき、配管に巻着した後に当該テープ長手方向と直交方向に爪をたてて簡単に引き千切ることができるため例えば配管等に巻着（貼着）した後の取扱い勝手が向上するのみならず従来の塩化ビニールテープと比較しても耐腐食性や経済性などの観点において何等遜色がないなど、実効性に優れた作用効果が得られるのである。
ある。
【図面の簡単な説明】
【図１】図１は、本発明の一実施例となるポリエチレンテープを模式的に示す斜視図である。
【図２】図２は図１のＡ−Ａ線に沿った断面図である。
【符号の説明】
１０  …  ポリエチレンテープ
１１  …  上面ポリエチレンシート
１２  …  ウラ印刷
１３  …  中間ポリエチレンシート
１５  …  下面ポリエチレンシート
１６  …  コロナ放電処理面全面
１７  …  粘着剤（接着剤）
１９  …  紙管
【図１】
2004202829.tif 000003
【図２】
2004202829.tif 000004